(57)【要約】【課題】集水部材の洗浄により濾材の流動性を高めることができ、集水部材に付着した夾雑物をその洗浄時に容易に取り除くことが可能であり、しかも、装置の大型化を回避することが可能な濾過装置を提供する。【解決手段】本発明の濾過装置は、原水が流入する濾過槽（１）と、濾過槽の壁部からその底面に向けて下方に傾斜する集水部材（８）と、集水部材上に堆積される粒状の濾材からなる濾過層（９）と、濾過層及び集水部材を通過した濾過水を集水する濾過水溜め部と、集水部材洗浄手段とを備えている。集水部材は複数のウェッジワイア式集水板から構成され、濾過水溜め部として各集水板の裏側に集水箱（２２）が配置される。また、集水部材洗浄手段は、洗浄ポンプ（２６）、各集水箱と洗浄ポンプの上流側及び下流側とを接続する配管、及び上流側配管から下流側配管への濾過水の流れを制御する弁からなり、集水板の洗浄時に別の集水板から集水された集水箱内の濾過水が洗浄水として使用される。【選択図】　　図１
2004130273.tif 000002
【特許請求の範囲】
【請求項１】
原水が流入する濾過槽と、該濾過槽の壁部から濾過槽の底面に向けて下方に傾斜する集水部材と、該集水部材上に堆積される粒状の濾材からなる濾過層と、該濾過層及び集水部材を通過した濾過水を集水する濾過水溜め部と、集水部材洗浄手段とを備え、原水に含まれる夾雑物を濾過層で分離除去する濾過装置において、上記集水部材が複数のウェッジワイア式集水板から構成され、かつ濾過水溜め部として各集水板の裏側に集水箱を配置すると共に、上記集水部材洗浄手段は、洗浄ポンプと、各集水箱と洗浄ポンプの上流側及び下流側とを接続する配管と、上流側配管から下流側配管への濾過水の流れを制御する弁とからなり、集水板の洗浄時に別の集水板から集水された集水箱内の濾過水を洗浄水として使用することを特徴とする濾過装置。
【請求項２】
前記濾過槽の上部に原水供給口が形成されていて、集水部材が下向する側の原水供給口下方の濾過槽の内壁部に、原水分散板が配設されていることを特徴とする請求項１記載の濾過装置。
【請求項３】
前記濾過槽の一部の壁部と協同して原水の排出路を形成する原水排出案内板を配置し、該排出案内板の上端が原水の液面下で濾過層の上方に位置すると共に、原水排出路を形成する濾過槽の下部に連通する原水排水管に排水弁を設けたことを特徴とする請求項１又は２記載の濾過装置。
【発明の詳細な説明】
【０００１】
【発明の属する技術分野】
本発明は、砂等を濾材とする濾過層を介して、河川から上水用水として取り入れられる河川水や工場から排出される汚水に含まれる夾雑物を取り除く濾過装置に関する。より詳しくは、本発明は、夾雑物が取り除かれた濾過水を透過する集水部材の洗浄手段を備えた濾過装置に関する。
【０００２】
【従来の技術】
河川水や工場排水に含まれる夾雑物を取り除くためには、種々の排水処理技術が組み合わされている。その１つに砂等の濾材で原水から夾雑物を分離する濾過操作が従来から慣用されている。その一例として、本出願人は、濾過層下部に集水部を配置させて濾過水を集水する濾過装置を提案した（特許文献１）。
この濾過装置は、図６に示すように、濾過槽ａの底面との間に間隔を大きく設けた区画壁ｂで原水供給口ｃを備えた供給部ｄと排水口ｅを備えた排出部ｆとに濾過槽ａ内を区画し、排出部ｆ側から供給部ｄ側に向かって下方に傾斜する斜面に濾過槽ａの底面ｇを形成し、供給部ｄと排出部ｆとにわたる底面ｇ上に砂等の粒状の濾材を区画壁ｂの少なくとも下端位置に達するまで積層して濾材からなる濾過層ｈを形成し、濾過水の集水部ｉを濾過層ｈ下部に臨ませ、かつ濾過層ｈの濾材を逆洗する逆洗手段を設け、この逆洗手段が、供給部ｄ側の濾材中に吸込口を臨ませると共に排出部ｆ側の濾過層ｈの上方に吐出口を臨ませたエアリフト管ｊと、エアリフト管ｊの吸込口に集水部ｉの濾過水を逆洗水として供給する逆洗水供給管ｋとから構成される。
上記濾過装置において、集水部ｉは、多数の小孔を穿設した複数の中空パイプからなり、給水管ｌを介して水槽ｍに接続される。また、集水部ｉを洗浄する際には、洗浄水として水槽ｍ内の濾過水が接続管ｎを介してポンプｏの駆動により集水部ｉに逆送される。この集水部ｉの洗浄時には、洗浄水が集水部ｉから濾過層ｈ側に流出して、集水部ｉ近傍の濾材を押し広げるようになり、固まり勝ちな濾材がほぐされる。
【０００３】
【特許文献１】
特開２００１−１２０９１２号公報
【０００４】
【発明が解決しようとする課題】
しかしながら、特許文献１に開示された濾過装置においては、集水部の洗浄により濾材の流動性が向上するものの、必ずしも充分でないという問題がある。しかも、集水部が小孔を穿設した中空パイプで構成されているため、集水部の洗浄時に洗浄水をパイプの内部から圧送しても、小孔に付着した夾雑物を完全に取り除くことができず、一部は小孔に付着したままであるという問題がある。また、集水部の洗浄のために水槽（ピット）に貯留された濾過水を使用するので、装置が必然的に大型化するという問題もある。
そこで、本発明の目的は、集水部材の洗浄により濾材の流動性をより高めることができ、集水部材に付着した夾雑物を集水部材の洗浄時に容易に取り除くことが可能であり、しかも、装置の大型化を回避することが可能な濾過装置を提供することにある。
【０００５】
【課題を解決するための手段】
本発明は、原水が流入する濾過槽と、該濾過槽の壁部から濾過槽の底面に向けて下方に傾斜する集水部材と、該集水部材上に堆積される粒状の濾材からなる濾過層と、該濾過層及び集水部材を通過した濾過水を集水する濾過水溜め部と、集水部材洗浄手段とを備え、原水に含まれる夾雑物を濾過層で分離除去する濾過装置において、上記集水部材が複数のウェッジワイア式集水板から構成され、かつ濾過水溜め部として各集水板の裏側に集水箱を配置すると共に、上記集水部材洗浄手段は、洗浄ポンプと、各集水箱と洗浄ポンプの上流側及び下流側とを接続する配管と、上流側配管から下流側配管への濾過水の流れを制御する弁とからなり、集水板の洗浄時に別の集水板から集水された集水箱内の濾過水を洗浄水として使用することを特徴とする。
【０００６】
【作用】
本発明の濾過装置の作用について説明する。
本発明の濾過装置において、供給口から濾過槽内に流入した原水は、濾過層を通過する際に夾雑物が濾材によって分離され、集水部材を透過して濾過水溜め部の集水箱に濾過水が集水される。その間、集水部材に夾雑物が次第に付着して集水部材の濾過性能が低下してくると、集水部材の洗浄が行われる。
本発明の濾過装置では、集水部材を構成する複数のウェッジワイア式集水板の裏側に濾過水を集水する集水箱が設けられている。また、集水部材洗浄手段は、洗浄ポンプと、各集水箱と洗浄ポンプの上流側及び下流側とを接続する配管と、上流側配管から下流側配管への濾過水の流れを制御する弁とからなる。従って、複数の集水板のうちの１つを洗浄する時、適宜の弁操作で、別の集水板から集められた集水箱の濾過水を洗浄水として使用することが可能である。
ウェッジワイア式集水板は、断面形状が楔形をなし、表面が幅狭で集水箱側に向かって拡がるスリットを有するので、ポンプの駆動により集水箱から洗浄水が送水される集水板の洗浄時に、集水板に付着した夾雑物を容易に取り除くことができる。同時に、ワイア間の間隙が洗浄水の出口側に向かって幅狭になっているので、集水板から濾過層内に洗浄水が流出する際の洗浄水の圧力が上昇する。その結果、濾過層を構成する濾材の流動性が高められるため、原水濾過時の濾過効率が向上する。更に、洗浄水として集水箱内の濾過水が使用されるので、例えば比較的小さな容積の容器を集水箱として使用することが可能であり、装置の大型化を回避することが可能である。
【０００７】
請求項２に係る発明は、前記濾過槽の上部に原水供給口が形成されていて、集水部材が下向する側の原水供給口下方の濾過槽の内壁部に、原水分散板が配設されている。従って、濾過槽内の水位が低下してたとえ濾過層の表層が露呈するようになっても、原水が濾過層上に直接落下するようなことがないため、原水の落下よる濾過層表層の乱れがなく、常時安定した原水の濾過が行える。
請求項３に係る発明は、前記濾過槽の一部の壁部と協同して原水の排出路を形成する原水排出案内板を配置し、この排出案内板の上端が原水の液面下で濾過層の上方に位置すると共に、原水排出路を形成する濾過槽の下部に連通する原水排水管に排水弁を設けたものである。従って、原水の濾過の進行に伴って夾雑物が次第に濃縮した時に、排水弁を開弁して濃縮した中間水を濾過槽の外部に排出させることができる。
【０００８】
【発明の実施の形態】
本発明を図面を参照して具体的に説明する。
図１〜３に示す濾過装置において、符号１は円筒状の濾過槽であり、その上部に区画壁２が濾過槽１の内壁と間隔を設けて配設されている。区画壁２は、原水が流入する原水供給口３側の供給部４と後述の逆洗水が排出される逆洗水排出口５側の排出部６とに濾過槽１内部を区画する。区画壁２は下部が排出部６側に折曲している。また、原水の水位を検出する水位センサＬＳが、原水供給口３のやや下方の濾過槽１内壁に取り付けられている。
上記区画壁２の下方の濾過槽１の壁部たる周壁から濾過槽１の水平な底壁７に向かって、即ち排出部６側から供給部４側に下方に傾斜する傾斜面に集水部材８が配置され、上記水平な底壁７と共に濾過槽１の底面を形成する。傾斜面の傾斜角は４５°である。集水部材８及び濾過槽１の水平な底壁７上には、ほぼ集水部材８の傾斜面に沿って濾材（砂）が堆積されていて、夾雑物を含む原水の濾過層９を形成する。この濾過層９の表層部には区画壁２の下端部が埋没していて、供給部４と排出部６との両側に連続した濾過層９が存在する。
【０００９】
濾過槽１の上部には原水流入案内板１０が垂下していて、原水供給口３が設けられた濾過槽１の周壁の一部と原水供給路１１を形成する。原水供給路１１の下方に位置し、濾過槽１の内周壁の略中央部に原水分散板１２が配設される。これにより、濾過槽１内の水位が低下して濾過層９の表層が露出した時、原水が供給口３から供給路１１を通って供給部４に流入する際に、原水は一旦分散板１２に受け止められて供給部４に流入するので、濾過層９表層の乱れが生じない。
原水分散板１２下方の濾過槽１の水平な底壁７上には、原水排出案内板１３が立設されていて、濾過槽１の周壁の一部と一緒になって原水排出路１４を形成する。排出案内板１３の上端は、濾過層９の上方に位置し、通常原水の水面より下方に位置する。排出路１４下部の濾過槽１周壁には、排出路１４に連通する原水排水管１５が接続する。排水管１５には排水弁１６が介装されていて、排水弁１６を開弁することにより、原水中の夾雑物が濃縮した時に、濃縮した中間水が原水排出路１４を通って排水管１５から濾過槽１外に排出される。
また、原水流入案内板１０に対向する排出部６側の濾過槽１の周壁に沿って逆洗水排出案内板１７が取り付けられ、その底面が排出口５と連結して逆洗水排出路１８を形成する。
【００１０】
上記集水部材９は、図４（Ａ）に図示するように、馬蹄形状をなし、その下端縁中央から上端縁に延びる幅狭の中間部及び周縁を除いて開口した金属板１９と、その上に周縁が載置される２枚のウェッジワイア式集水板２０ａ，２０ｂとから構成される。金属板１９は、その下端縁及びそれ以外の外周縁がそれぞれ濾過槽１の水平な底壁７及び周壁に固着される。また、集水板２０は、濾過槽１周壁側の長方形の上部角部が切り欠かれている。
この集水板２０は、上面が幅広の断面楔形のウェッジワイアを外周枠に溶接したスクリーンからなり、全体がステンレス鋼製である。ワイア間のスリット幅ｄ（目開き）は、使用する濾材の粒径や処理する原水の種類に応じて異なり、濾材の粒径よりやや小さい０．１〜１ｍｍのものが使用される。このような集水板２０は、多数の小孔を穿設した従来の中空パイプをと比較して、単位面積当たりの開口面積を広く採れるため、原水の濾過能力が格段に優れている。しかも、ワイア間の間隔が、図４（Ｂ），（Ｃ）に図示するように、裏面側に向かって拡がっているので、集水板２０を洗浄する時に、原水に含まれる夾雑物を効果的に分離することができる。
集水部材９の裏側は、濾過槽１の周壁及び水平な底壁７から延びる垂直部分及び水平部分を含む上部傾斜部材と下部垂直部材からなるハウジング２１が形成される。このハウジング２１は、濾過槽１と一体化して設けられ、上記金属板１９の中間部から垂下する仕切板（図示せず）によって２等分され、濾過水を集水する濾過水溜め部となる集水箱２２ａ，２２ｂを形成する。即ち、各集水箱２２ａ，２２ｂは集水板２０ａ，２０ｂの裏側に配置されている。
【００１１】
濾過槽１内には、逆洗時に濾材を洗浄する３本の逆Ｌ字形のエアリフト管２３が配置される。エアリフト管の吸込口２３ａは濾過槽１の水平な底壁７と間隔を介して濾過層９内部に配置され、吐出口２３ｂは前記区画壁２で区画された排出部６の上部に臨む。各吸込口２３ａには、電磁弁ＳＶを介して揚砂ブロア２４に接続する各空気供給管２５が濾過槽１の水平な底壁７を貫通して臨む。また、底壁７の裏面には、高圧洗浄ポンプ２６に接続された逆浄水供給管２７の他端部と接続する箱状の逆洗水供給部２８がシール部材を介して固定され、その上面に底壁７を貫通する複数の逆洗水ノズル２９が各吸込口２３ａに臨む。なお、上記空気供給管２５は、逆洗水供給部２８の垂直中心軸線に沿ってその先端部が吸込口２３ａに臨んでいる。
上記吐出口２３ｂに対向して揚砂吐出部３０が区画壁２に取り付けられる。揚砂吐出部３０の上面には直角に折曲した取付板３０ａが配置され、吐出部３０内の取付板３０ａ下方に空気が通り抜ける間隙を設けて揚砂分離板３１が配置される。この分離板３１を配置したことによって、揚砂は下方に沈降し、空気と共に逆洗水排出路１８に流出する恐れがない。そして、前記区画壁２の折曲部の上部には通常濾過槽１の水面下に位置する小さな開口２ａが穿設されていて、開口２ａを通過する供給部４側の原水の流水により、排出部６側の逆洗水が排出口５に押し流されるようにしている。また、区画壁２の折曲部の下部には濾材の粒径より大きい多数の小孔２ｂが高さを違えて穿設されていて、排出部６側の濾過層９上に吸い上げられる濾材の一部が供給部４側に移動するようにしている。
前記原水排出案内板１３と逆洗水供給部２８の間の底壁７には、砂抜管３２が接続していて、水垢等が付着して汚染された濾材の一部が新鮮な濾材と定期的に交換される。
【００１２】
前記各集水箱２２には、図５に図示するように、配管３３ａ，３３ｂが接続されていて、これらは濾過水流出管３４に接続する。濾過水流出管３４及び配管３３ａ，３３ｂには、常開の電動弁ＭＶ１及びＭＶ２ａ，ＭＶ２ｂが介装される。また、配管３３ａ，３３ｂとの接続部の間の濾過水流出管３４には、配管３５が接続していて、その下流に前記高圧洗浄ポンプ２６、逆浄水供給管２７及び常閉の電動弁ＭＶ３ａ〜ＭＶ３ｃ付きの洗浄水ノズル２９が順次接続している。更に、各集水箱２２には配管３６ａ，３６ｂが接続していて、これらは洗浄水供給管３７を介して逆浄水供給管２７に接続される。配管３６ａ，３６ｂには常閉の電動弁ＭＶ４ａ，ＭＶ４ｂが介装される。集水部材洗浄手段は、洗浄水ノズル２９を除く、上述の濾過水が集水される集水箱、高圧洗浄ポンプ、電動弁及び配管から構成される。
濾過槽１は基礎部材３８とその上に取り付けられた枠部材３９に支持される。また、本発明の濾過装置においては、濾過槽の底壁７及びハウジング２１の下方及び背部と基礎部材３８及び枠部材３９とで囲繞される空間に、前記揚砂ブロア２４、空気供給管２５、高圧洗浄ポンプ２６、逆浄水供給管２７、洗浄水供給管３７を含むその他の配管類等が集中して配置されている。そして、後述する電動弁ＭＶ１〜ＭＶ４の開閉操作と洗浄ポンプ２６の駆動により、集水板２０を洗浄することができる。
【００１３】
次に、図１〜３に示す濾過装置の作用を説明する。
原水が原水供給口３から原水供給路１１を通って濾過槽１内の供給部４側に流入し、濾過層９を通過しながら原水に含まれる夾雑物が濾材によって次第に分離される。濾過層９は集水部材８の傾斜角に沿ってほぼ４５°に傾斜しているので、濾過層９の単位断面当たりの濾過面積を大きく採ることができる。濾過層９を通過した原水は、ヘッド差により集水部材８の集水板２０を透過して集水箱２２に濾過水が集水される。濾過水は、配管３３ａ及び配管３３ｂ、濾過水流出管３４を経由して濾過槽１外に排出された後、適宜上水処理される。
この間、原水中の夾雑物が濃縮されると、排水弁１６を開弁することにより、濃縮した中間水は原水排出路１４を経由して排水管１５から濾過槽１外に排出される。この中間水排出操作は、通常後述の濾材の洗浄前または洗浄後に行われ、水位センサＬＳまたは所定の時間間隔でタイマーにより制御される。また、中間水の排出後など、濾過槽１内の水位が低下して濾過層９の表層が露出し、原水が表層に直接落下して、表層に凹凸が形成されることがある。このような場合、濾過層９を通過する原水の濾過時間にばらつきが生じ、得られる濾過水の水質にムラが生じる恐れがある。しかし、原水供給路１１の下方に原水分散板１２が配設されているので、濾過槽１に流入する原水は一旦分散板１２に衝突することから、濾過層９の表層が乱れるようなことがない。
【００１４】
原水の濾過が進行するにつれて、濾過層９の濾材中に分離された夾雑物が蓄積されるので、汚染された濾材の逆洗を行って夾雑物を除去する必要がある。この逆洗操作は、まず電磁弁ＳＶを開成し、揚砂ブロア２４を駆動する。同時に、電動弁ＭＶ２ａ，ＭＶ２ｂの一方、場合によっては双方を開成し、電動弁ＭＶ１及びＭＶ４ａ，ＭＶ４ｂを閉成し、かつ電動弁ＭＶ３ａ〜ＭＶ３ｃのうちの例えばＭＶ３ａを開成すると共に、高圧洗浄ポンプ２６を駆動する。その結果、空気供給管２５を経由して空気が、また配管３３，３５、逆浄水供給管２７及び逆洗水ノズル２９を経由して集水箱２２内の濾過水が、それぞれエアリフト管の吸込口２３ａに供給される。
すると、空気及び濾過水の圧送力により、吸込口２３ａ付近の濾材がエアリフト管２３を通って、吐出口２３ｂから分離板３１に向かって吐出される。濾材はエアリフト管２３内を通過する過程で逆洗水としての濾過水で洗浄されて清浄化される。また、夾雑物を含む逆洗水は、排出部６内の逆洗水排出路１８を経由して排出口５から濾過槽１外に排出された後、適宜排水処理される。
次いで、電動弁ＭＶ３ａを閉成し、電動弁ＭＶ３ｂを開成して以上の逆洗操作を繰り返し、更に電動弁ＭＶ３ｂを閉成し、電動弁ＭＶ３ｃを開成して逆洗操作を順次繰り返すことにより、濾過層９の濾材が浄化される。このような濾材の逆洗が行われると、自重によって固まり勝ちにある濾材がほぐされると同時に、供給部４側の濾材がエアリフト管２３によって排出部６上部に揚砂され、濾材が集水部材８の傾斜面に沿って循環するようになる。
【００１５】
原水の濾過を継続していると、濾材だけでなく集水板２０にも夾雑物が次第に付着して、集水部材の濾過性能が低下するので、集水部材洗浄手段によって集水板２０の洗浄が行われる。
この洗浄操作は、まず電動弁ＭＶ２ａ及びＭＶ４ｂを開成し、電動弁ＭＶ１，ＭＶ２ｂ，ＭＶ４ａ及び電動弁ＭＶ３ａ〜ＭＶ３ｃを閉成すると共に、高圧洗浄ポンプ２６を駆動する。この弁操作及びポンプの運転により、集水箱２２ａ内の濾過水が、配管３３ａ，３５，ポンプ２６，配管２７，３７，３６ｂを経由し、加圧洗浄水として集水板２０ｂに供給される。集水板２０ｂの洗浄が終了すると、引き続きまたは間隔を置いて、電動弁ＭＶ２ａ及びＭＶ４ｂを閉成し、電動弁ＭＶ２ｂ及びＭＶ４ａを開成することにより、集水箱２２ｂ内の濾過水が集水板２０ａに供給される。
集水板２０として断面形状が楔形をなすウェッジワイア式集水板が使用されるので、集水板２０ｂの裏側からの加圧洗浄水の圧送により、集水板２０ｂに付着した夾雑物は簡単に分離される。また、集水板２０はワイア間の間隙が洗浄水の入口側から出口側に向かって狭くなっているので、より高圧の洗浄水が濾過層９側に供給される。その結果、濾過層９を構成する濾材の流動性が高められ、原水濾過時の濾過効率が向上する。なお、集水板２０の洗浄に使用された濾過水は原水に混入され、集水板２０から分離した夾雑物は濾材の逆洗後に濾過槽１外に排出されることになる。
【００１６】
以下に、本発明の濾過装置について補足説明をする。
濾過槽１の形状は、円筒形に限られるものではなく、濾過効率に特段の支障がない限り、楕円形、角形等、任意の形状を採用することができる。また、区画壁２は、必ずしも排出部６側に折曲している必要はなく、例えば下方に垂下していてもよい。
排出案内板１３が昇降自在のガイド板との組合わせから構成され、ガイド板の上端で中間水の水位を調節できるようすることが好ましい。その一例として、ガイド板が摺動自在に昇降可能な断面コ字状のレール部材をその開口部が互いに対向するように、排出案内板１３の原水排出路１４と反対側の上部両側部に取り付けることが挙げられる。この例では、レール部材の取付面とは反対面に所定の間隔で小穴を穿設する一方、ガイド板の両側部にも同じ間隔で小穴を穿設して、レール部材の最上位の小穴部分及びガイド板の最下位の小穴部分に互いの小穴を合致させて、ボルトを螺合させればよい。
集水部材８の傾斜角は、３０〜８０°の範囲にあればよく、濾過槽１の占める設置面積や、効果的な濾過効率を達成するための濾過層９を通過する原水の平均通過時間等の観点から、４０〜６０°の範囲にあることが好ましい。
【００１７】
集水板２０を３枚以上用いることができる。その場合、集水板２０の数に対応した集水箱２２をハウジング２１に取り付けることにより、集水板２０の洗浄時に、洗浄に関係する２つの集水箱２２以外から集水された濾過水を濾過水流出管３４から取水することが可能である。即ち、増設される各集水箱２２ｃ，…に電動弁ＭＶ２ｃ，…を介装した配管３３ｃ，…、及び電動弁ＭＶ４ｃ，…を介装した配管３６ｃ，…を接続して、これらをそれぞれ高圧洗浄ポンプ２６の吸入側の配管３５及び吐出側の配管３７に接続すると共に、電動弁ＭＶ２の上流側の各配管３３に別途濾過水流出管３４を配管接続することになる。
ハウジング２１は、濾過槽１の背部下方空間に電磁弁及び電動弁や各種配管類を配置させることができるため、図１に示すように、傾斜する集水部材８と上部傾斜部材及び下部垂直部材とから形成されることが好ましい。しかし、ハウジング２１の構造は任意である。また、各集水箱２２を独立した容器として、対応する集水板２０の裏側のハウジング２１内に着脱自在に取り付けることができる。その場合、ハウジング２１には、水垢が付着した集水板２０の掃除や集水箱２２の点検等のために、背部に開閉扉を設けることが好ましい。
【００１８】
エアリフト管２３の本数は、３本に限定されるものではなく、濾過槽１のサイズや原水の性状等に応じて適宜設定される。また、エアリフト管の吸込口２３ａは濾過層９の上部と下部に配置してもよい。
図５において、電動弁ＭＶ２ａ，ＭＶ２ｂに代えて、濾過水流出管３４と配管３５の接続部に三方切換弁を介装してもよい。同様に、電動弁ＭＶ４ａ，ＭＶ４ｂに代えて、配管３６（３６ａ，３６ｂ）と配管３７の接続部に三方切換弁を介装してもよい。
濾材の逆洗操作、集水板２０の洗浄操作及び排水弁１６の開閉は、タイマー及び水位センサＬＳを併用して定期的に実施することが簡便である。
【００１９】
【発明の効果】
本発明の濾過装置は、濾過層の下面にウェッジワイア式集水板を配置したものであるから、濾過水の集水能力に優れている。また、集水板の洗浄時に、その裏側から洗浄水を圧送することにより、集水板のスリットに付着した夾雑物を容易に取り除くことができる。同時に、集水板から濾過層内に洗浄水が流出する際に昇圧するので、洗浄水により濾材がほぐされ、洗浄後の原水濾過時の濾過性能が向上する。
更に、洗浄水として、濾過槽の外部から清浄水を導入する必要がなく、集水箱内の濾過水を使用することができる。また、濾過水を一時的に貯留する従来のピットに代えて、容積が比較的小さな集水箱内に濾過水を集水するものであるから、装置の大型化を回避することができる。しかも、ピットを設けた場合、藻類が繁殖しやすいが、本発明においては、通常の集水板の洗浄が繰り返されるので、集水箱が長期にわたって清浄に保たれ、藻類の繁殖の懸念がない。
【図面の簡単な説明】
【図１】本発明の一実施例を示す濾過装置の一部截断正面図である。
【図２】図１の一部截断平面説明図である。
【図３】図１の側面図である。
【図４】（ａ）は本発明における集水部材の一例を示す拡大平面図であって、（ｂ）はウェッジワイア式集水板の斜視図であり、（ｃ）は図４（ｂ）の横断面図である。
【図５】本発明における集水部材洗浄手段の配管接続の一例を示す説明図である。
【図６】従来の濾過装置の一例を示す説明図である。
【符号の説明】
１・・・　濾過槽、３・・・　原水供給口、８・・・　集水部材、９・・・　濾過層、１２・・・　原水分散板、１３・・・　原水排出案内板、１４・・・　原水排出路、１５・・・　原水排水管、１６・・・　排水弁、２０・・・　集水板、２２・・・　集水箱（濾過水溜め部）、２６・・・　高圧洗浄ポンプ、３３，３５，３６・・・　配管、３７・・・　洗浄水供給管、ＭＶ１〜ＭＶ４・・・　電動弁。
【図１】
2004130273.tif 000003
【図２】
2004130273.tif 000004
【図３】
2004130273.tif 000005
【図４】
2004130273.tif 000006
【図５】
2004130273.tif 000007
【図６】
2004130273.tif 000008